(57)【要約】【課題】  本発明の課題は、簡易に容器に装着でき、装着後、表示シート片が垂れ下がり難い首掛けラベルを提供することである。【課題手段】  外面に広告が表示された表示シート片２と、容器の首部に挿入される第１シート片３１及び第２シート片３２と、を有し、第１シート片３１は、表示シート片２の横方向と略平行な第１接着部５１を介して表示シート片２の内面に接着され、第１シート片３１は、表示シート片２の縦方向一端部２ａ側に延出された第１延出片４１を有し、第１延出片４１の面内に、第１孔部６１が形成されており、第２シート片３２は、表示シート片２の横方向と略平行な第２接着部５２を介して表示シート片２の内面に接着され、第２シート片３２は、表示シート片２の縦方向他端部２ｂ側に延出された第２延出片４２を有し、第２延出片４２の面内に、第２孔部６２が形成されている。【選択図】  図３
2009244516.tif 000002
【特許請求の範囲】
【請求項１】
外面に広告が表示された表示シート片と、容器の首部に挿入される第１シート片及び第２シート片と、を有し、
前記第１シート片及び第２シート片は、前記表示シート片の内面に重ねられ、
前記第１シート片は、前記表示シート片の横方向と略平行な第１接着部を介して前記表示シート片の内面に接着され、前記第１シート片は、前記第１接着部を基準に、前記表示シート片の縦方向一端部側に延出された第１延出片を有し、前記第１延出片の面内に、容器の首部に挿入可能な第１孔部が形成されており、
前記第２シート片は、前記表示シート片の横方向と略平行な第２接着部を介して前記表示シート片の内面に接着され、前記第２シート片は、前記第２接着部を基準に、前記表示シート片の縦方向他端部側に延出された第２延出片を有し、前記第２延出片の面内に、容器の首部に挿入可能な第２孔部が形成されていることを特徴とする首掛けラベル。
【請求項２】
首部を有する容器と、前記容器の首部に装着された首掛けラベルと、を有し、
前記首掛けラベルは、前記容器の首部の前方において起立し且つ外面に広告が表示された表示シート片と、前記首部の上方部に挿入された第１シート片と、前記首部の下方部に挿入された第２シート片と、を有し、
前記第１シート片の一端部が表示シート片に接着され、前記第１シート片が上方に付勢されており、
前記第２シート片の一端部が表示シート片に接着され、前記第２シート片が下方に付勢されていることを特徴とする首掛けラベル付き容器。
【発明の詳細な説明】
【技術分野】
【０００１】
本発明は、宣伝広告効果を高めるために容器の首部に装着して使用される首掛けラベル、及び首掛けラベルが装着された首掛けラベル付き容器に関する。
【背景技術】
【０００２】
従来、宣伝広告効果を高める目的で、商品名、懸賞案内などの各種広告を表示した首掛けラベル（掛止ラベルなどとも呼ばれる）が、容器の首部に装着されている。
かかる首掛けラベルは、主として広告を表示する表示シート片と、容器の首部に挿入して、前記表示シート片を起立させる係止シート片と、を有する。
【０００３】
例えば、特許文献１には、首掛けラベルとして、瓶首に取り付ける宣伝広告具が開示されている。
この特許文献１には、様々な態様の宣伝広告具が開示されている。そのうち、特許文献１の［０００７］及び［図１３］〜［図１８］に開示された宣伝広告具は、天板及び瓶首嵌入板を表板に対して略９０度に折り曲げて側面視略コの字状にした状態で瓶首に取り付けられる。
【特許文献１】特開２０００−９８８９５号公報
【発明の開示】
【発明が解決しようとする課題】
【０００４】
上記側面視略コの字状に折り曲げて取り付けられる宣伝広告具は、瓶首に装着する前は扁平状であるため保管の便に優れ、瓶首に装着するときに糊付けする必要がないため瓶首に簡易に装着できる。
しかしながら、上記側面視略コの字状の宣伝広告具は、瓶首に装着した後、自重によって、表板（表示シート片）が垂れ下がるという問題点がある。
このように表板が垂れ下がると、外見が悪くなる上、表板に表示された広告が見え難くなる。
【０００５】
本発明の目的は、簡易に容器に装着でき、装着後、表示シート片が垂れ下がり難い首掛けラベルを提供することである。
また、本発明の他の目的は、表示シート片が垂れ下がり難い首掛けラベル付き容器を提供することである。
【課題を解決するための手段】
【０００６】
本発明の首掛けラベルは、外面に広告が表示された表示シート片と、容器の首部に挿入される第１シート片及び第２シート片と、を有し、前記第１シート片及び第２シート片は、前記表示シート片の内面に重ねられ、前記第１シート片は、前記表示シート片の横方向と略平行な第１接着部を介して前記表示シート片の内面に接着され、前記第１シート片は、前記第１接着部を基準に、前記表示シート片の縦方向一端部側に延出された第１延出片を有し、前記第１延出片の面内に、容器の首部に挿入可能な第１孔部が形成されており、前記第２シート片は、前記表示シート片の横方向と略平行な第２接着部を介して前記表示シート片の内面に接着され、前記第２シート片は、前記第２接着部を基準に、前記表示シート片の縦方向他端部側に延出された第２延出片を有し、前記第２延出片の面内に、容器の首部に挿入可能な第２孔部が形成されていることを特徴とする。
【０００７】
上記本発明の首掛けラベルは、第１シート片の第１延出片及び第２シート片の第２延出片を、互いに近づくように曲げ、第２延出片の第２孔部を容器の首部に挿入した後、続いて、第１延出片の第１孔部を容器の首部に挿入することによって、容器に装着される。よって、上記首掛けラベルは、簡易に容器に装着できる。
第１シート片及び第２シート片は、第１接着部及び第２接着部において表示シート片に接着され且つ互いに近づくように曲げられている。そのため、第１シート片及び第２シート片には、元に戻る力が作用する。よって、上記曲げられた第１延出片は、上向きの反発力を有し、上記曲げられた第２延出片は、下向きの反発力を有する。
このように首部に挿入された第１延出片及び第２延出片が互いに離れる方向に反発することによって、首掛けラベル１が位置ずれし難く、更に、自重によって第１延出片及び第２延出片が変形し難いので、表示シート片が垂れ下がることを防止できる。
【０００８】
本発明の別の局面によれば、首掛けラベル付き容器を提供する。本発明の首掛けラベル付き容器は、首部を有する容器と、前記容器の首部に装着された首掛けラベルと、を有し、前記首掛けラベルは、前記容器の首部の前方において起立し且つ外面に広告が表示された表示シート片と、前記首部の上方部に挿入された第１シート片と、前記首部の下方部に挿入された第２シート片と、を有し、前記第１シート片の一端部が表示シート片に接着され、前記第１シート片が上方に付勢されており、前記第２シート片の一端部が表示シート片に接着され、前記第２シート片が下方に付勢されていることを特徴とする。
【発明の効果】
【０００９】
本発明の首掛けラベルは、容器に簡易に装着でき、装着後において、表示シート片が垂れ下がり難い。
また、本発明の首掛けラベル付き容器は、表示シート片が垂れ下がり難く、宣伝広告効果に優れている。
【発明を実施するための最良の形態】
【００１０】
＜首掛けラベルの１つの実施形態＞
図１〜図５に於いて、１は、外面に広告が表示された表示シート片２と、前記表示シート片２に部分接着され且つ容器の首部に挿入される第１シート片３１及び第２シート片３２と、を有する首掛けラベルを示す。
容器に装着する前の首掛けラベル１は、略扁平状である。
前記第１シート片３１は、前記表示シート片２の内面に重ねられ、且つ第１接着部５１を介して表示シート片２の内面に接着されている。この第１接着部５１を基準にして、第１シート片３１は、表示シート片２の縦方向一端部２ａ側に延出されている。
他方、前記第２シート片３２は、前記表示シート片２の内面に重ねられ、且つ第２接着部５２を介して表示シート片２の内面に接着されている。この第２接着部５２を基準にして、第２シート片３２は、表示シート片２の縦方向他端部２ｂ側に延出されている。
【００１１】
ここで、本明細書において、表示シート片２の縦方向とは、首掛けラベル１を容器の首部に装着したときに起立した表示シート片２を基準にして、その上下方向をいう。また、表示シート片２の横方向とは、表示シート片２の面内において、前記縦方向と略直交する方向をいう。例えば、表示シート片２が、平面視略矩形状に形成されている場合には、前記縦方向は、その縦辺と平行な方向である。
本明細書において、表示シート片２の内面とは、首掛けラベル１を容器の首部に装着したときに起立した表示シート片２を基準にして、容器の首部に向かい合う面をいう。また、表示シート片２の外面とは、前記表示シート片２の内面と反対側の面をいう。第１シート片３１及び第２シート片３２の内面とは、表示シート片２の内面に重ね合わされる面をいう。
また、本明細書において、接頭語の第１及び第２は、用語を区別するために用いられ、部材の優劣や順序などを意味するものではない。
【００１２】
上記表示シート片２は、所定の平面視形状（例えば、平面視略矩形状など）に形成されている。表示シート片２の大きさは、特に限定されず、装着する容器の大きさや形状、及び首部の長さに応じて適宜設定できる。例えば、表示シート片２が平面視略矩形状に形成される場合、その大きさは、縦×横が２０ｍｍ〜１５０ｍｍ×２０ｍｍ〜１００ｍｍ程度である。
表示シート片２の外面には、広告が表示されている。なお、必要に応じて、表示シート片２の内面や、第１シート片３１及び第２シート片３２の内面及び／又は外面にも、広告が表示されていてもよい。該広告表示は、商品名、懸賞案内、商品説明などの任意の表示であり、該広告表示は、従来公知の印刷法で各シートに施すことができる。
【００１３】
一方、第１シート片３１及び第２シート片３２は、所定の平面視形状（例えば、平面視略矩形状など）に形成されている。両シート片３１，３２は、略同形に形成されていることが好ましいが、異なる形状に形成されていてもよい。また、両シート片３１，３２は、同大に形成されていることが好ましいが、両シート片３１，３２の何れか一方が、他方よりも大きく形成されていてもよい。この場合、第２シート片３２の方が、第１シート片３１よりも大きく形成されていることが好ましい。
両シート片３１，３２の大きさは、特に限定されず、装着する容器の大きさや形状に応じて適宜設定できる。例えば、両シート片３１，３２が平面視略矩形状に形成される場合、両シート片３１，３２の大きさは、縦×横が２０ｍｍ〜１００ｍｍ×２０ｍｍ〜１００ｍｍ程度である。
【００１４】
第１シート片３１は、第１シート片３１の一端部３１ａが表示シート片２の縦方向中途部に位置し、且つ第１シート片３１の他端部３１ｂが表示シート片２の縦方向一端部２ａから外側に位置するように、表示シート片２の内面に重ねられている。なお、第１シート片３１の一端縁（一端部３１ａの縁）は、表示シート片２の横方向Ｙと略平行に配置されている。
【００１５】
この第１シート片３１の一端部３１ａの内面は、表示シート片２の内面に接着されている。この接着部分が、第１接着部５１に相当する。該第１接着部５１は、表示シート片２の横方向Ｙと略平行に伸びる所定幅の帯状に形成されている。
表示シート片２に接着された第１シート片３１は、第１接着部５１を基準にして、表示シート片２の縦方向一端部２ａ側へ延出されている。この第１接着部５１以外の延出された領域が、第１延出片４１に相当する。この第１延出片４１は、第１接着部５１の外縁５１ａの近傍において湾曲させることができる。
【００１６】
なお、第１延出片４１は、少なくとも第１接着部５１の外縁５１ａの近傍位置に、横方向Ｙと略平行な方向又は横方向Ｙに対して±４５度以内の方向に延びる折り目を有しない（折り目が形成されていない）ことが好ましく、特に、第１延出片４１の全体が、折り目を有しない（折り目が形成されていない）ことが好ましい。
【００１７】
上記第１延出片４１の面内には、例えば、平面視略Ｈ字状の第１切り目７１が形成されている。該第１切り目７１が形成された第１延出片４１は、その面内に第１孔部６１を有する。すなわち、第１延出片４１を容器の首部に挿入したときに、この第１切り目７１で区画された領域が押し上げられ、第１延出片４１の面内に、容器の首部に挿入される第１孔部６１が形成される。
上記第１切り目７１は、表示シート片２の縦方向Ｘと略平行に伸びる有端直線状の中央切り目７１１と、前記中央切り目７１１の両端部に連設され且つ横方向Ｙと略平行に伸びる有端直線状の一対の側方切り目７１２，７１２と、からなる。なお、前記側方切り目７１２の両端部は、僅かに内側へ曲がった傾斜状に形成されていてもよい。
【００１８】
さらに、第１延出片４１の面内には、例えば、平面視略円弧状の第２切り目７２が形成されている。該第２切り目７２が形成された第１延出片４１は、容器の段部に係合しうる係合部を有する。すなわち、第１延出片４１を容器の首部に挿入したときに、この第２切り目７２にて分割された縁が容器の段部に引掛かる。
上記第２切り目７２は、中央切り目７１１と略平行であって中央切り目７１１から離れるように膨らんだ円弧状の切り目７２１と、前記切り目７２１の両端部に連設された傾斜状の切り目７２２と、からなる。この切り目７２１にて分割される縁が、容器の段部に係合し得る係合部となる。
【００１９】
他方、第２シート片３２は、第２シート片３２の一端部３２ａが表示シート片２の縦方向中途部に位置し、且つ第２シート片３２の他端部３２ｂが表示シート片２の縦方向他端部２ｂから外側に位置するように、表示シート片２の内面に重ねられている。なお、第２シート片３２の一端縁（一端部３２ａの縁）は、表示シート片２の横方向Ｙと略平行に配置されている。また、第２シート片３２の一端縁が第１シート片３１の一端縁に対向され、第２シート片３２及び第１シート片３１は、表示シート片２の内面上に並べられている。
【００２０】
この第２シート片３２の一端部３２ａの内面は、表示シート片２の内面に接着されている。この接着部分が、第２接着部５２に相当する。該第２接着部５２は、表示シート片２の横方向Ｙと略平行に伸びる所定幅の帯状に形成されている。
【００２１】
表示シート片２に接着された第２シート片３２は、第２接着部５２を基準にして、表示シート片２の縦方向他端部２ｂ側へ延出されている。この第２接着部５２以外の延出された領域が、第２延出片４２に相当する。この第２延出片４２は、第２接着部５２の外縁５２ａの近傍において湾曲させることができる。
【００２２】
なお、第２延出片４２は、少なくとも第２接着部５２の外縁５２ａの近傍位置に、横方向Ｙと略平行な方向又は横方向Ｙに対して±４５度以内の方向に延びる折り目を有しない（折り目が形成されていない）ことが好ましく、特に、第２延出片４２の全体が、折り目を有しない（折り目が形成されていない）ことが好ましい。
【００２３】
第１接着部５１の外縁５１ａと第２接着部５２の外縁５２ａは、適度な間隔を有していることが好ましい。第１接着部５１の外縁５１ａと第２接着部５２の外縁５２ａの間隔Ｌが余りに短いと、首掛けラベル１を容器に装着したときに、表示シート片２の縦方向両端部２ａ，２ｂが反り易く、他方、前記間隔Ｌが余りに長いと、首掛けラベル１を容器に装着したときに、表示シート片２の縦方向中途部において表示シート片２が湾曲し易い。
上記第１接着部５１の外縁５１ａと第２接着部５２の外縁５２ａの間隔Ｌは、表示シート片の縦方向長さ（縦方向一端部２ａの縁から他端部２ｂの縁までの長さ）の、１／５倍〜５／６倍が好ましく、更に、１／３倍〜２／３倍がより好ましい。
【００２４】
さらに、上記第２延出片４２の面内には、容器の首部に挿入可能な開口が形成されている。この開口は、第２延出片４２の一部分を所定の平面視形状（例えば、矩形状、円形状、楕円形状など）に切り抜くことによって形成されている。該開口は、第２孔部６２である。
【００２５】
上記基材シート片２と第１シート片３１、及び基材シート片２と第２シート片３２は、例えば、接着剤を用いて接着される。なお、これらのシート片が、溶剤接着可能なシート材で構成されている場合には、溶剤接着でもよいし、熱シール可能なシート材で構成されている場合には、熱シールでもよい。
上記第１接着部５１及び第２接着部５２の幅は、特に限定されず、各シート片の大きさに応じて適宜設定できる。外れ難くするためには、前記第１及び第２接着部５１，５２の幅は、好ましくは３ｍｍ以上であり、より好ましくは５ｍｍ以上である。前記第１及び第２接着部５１，５２の幅の上限は特に限定されないが、通常、２０ｍｍもあれば十分である。
【００２６】
上記表示シート片２、第１シート片３１及び第２シート片３２は、適度な剛性と可撓性を有するシート材から構成されている。該シート材は、特に限定されず、紙、厚紙、合成紙、合成樹脂シート、合成樹脂発泡シート、これらの積層体、これらと他のシートの積層体などを用いることができる。好ましくは、前記シート材としては、合成紙、紙、合成樹脂シートが用いられる。紙を用いる場合には、その目付量が６０〜１５０ｇ／ｍ２程度のものが好ましい。合成紙又は合成樹脂シートなどを用いる場合には、その厚みが３０μｍ〜１５０μｍ程度のものが好ましい。表示シート片２、第１シート片３１及び第２シート片３２は、同一のシート材でもよいし、材質及び／又は厚みが異なるシート材をそれぞれ用いてもよい。
【００２７】
好ましくは、表示シート片２は、第１シート片３１及び第２シート片３２よりも剛性の高いシート材が用いられる。このような表示シート片２を用いることにより、第１シート片３１及び第２シート片３２を容器の首部に挿入係止させたときに、表示シート片２が大きく湾曲することを防止できる。
この場合、表示シート片２としては、例えば、ポリエチレンテレフタレートなどのポリエステル系、ポリアミド系などを主成分とする合成樹脂シート、普通紙などの紙、などを用いることが好ましい。一方、第１シート材３１及び第２シート材３２は、例えば、ポリエチレン、ポリプロピレンなどを主成分とする合成樹脂シート、合成紙（好ましくはポリプロピレンを主成分とする合成紙）、などを用いることが好ましい。また、表示シート片２と第１シート片３１などは、同じ素材のシート材を用いることもできる。この場合、表示シート片２として、第１シート片３１よりも厚いシート材を用いれば、表示シート片２は、適度な剛性を有する。
【００２８】
上記表示シート片２の剛性度は、リングクラッシュ強度５．０Ｎ以上であり、好ましくは、同７．０Ｎ〜５０．０Ｎであり、より好ましくは、同１０．０Ｎ〜３０．０Ｎである。リングクラッシュ強度が５．０Ｎ以上の表示シート片２を用いれば、首掛けラベル１を容器に装着したときに、表示シート片２が湾曲し難くなる。
また、第１シート片３１及び第２シート片３２の剛性度は、リングクラッシュ強度１．０Ｎ〜２０．０Ｎであり、好ましくは、同２．０Ｎ〜１５．０Ｎであり、より好ましくは、同３．０Ｎ〜１０．０Ｎである。
ただし、リングクラッシュ強度は、ＪＩＳ  Ｐ  ８１２６に準じて測定された値である。
【００２９】
＜首掛けラベル付き容器の１つの実施形態＞
図６及び図７において、１０は、首部９１を有する容器９と、容器９の首部９１に装着された上記首掛けラベル１と、を有する首掛けラベル付き容器を示す。
【００３０】
容器９は、首部９１を有していれば特に限定されず、従来公知の容器を採用できる。
なお、首部とは、容器の胴部よりも小径の部分であって胴部の上方に形成された細長い部分を指す。
図示した容器９は、胴部９２と、該胴部９２の上方に形成され且つ胴部９２よりも小径の首部９１と、該首部９１の上部に着脱可能に取り付けられたキャップ部９３と、を有するボトル型容器である。該キャップ部９３は、首部９１よりも少し大径であり、従って、該キャップ部９４の下端部に段部９４がある。
【００３１】
上記容器９の首部９１に上記首掛けラベル１を下記のようにして装着することによって、本発明の首掛けラベル付き容器１０が得られる。
まず、図８に示すように、首掛けラベル１の、第１シート片３１の第１延出片４１及び第２シート片３２の第２延出片４２を、互いに近づくように曲げる。
【００３２】
第１シート片３１は、基材シート片２に重ねられ且つ第１シート片３１の一端部３１ａ（第１接着部５１）において表示シート片２に接着されているので、第１接着部５１の外縁５１ａの近傍において第１延出片４１は上向きに膨んだ円弧状に湾曲する。この状態において、元の平坦状に戻ろうとする力が作用しているので、上記曲げられた第１延出片４１は、上方に付勢されている（上向きの反発力を有する）。
【００３３】
他方、第２シート片３２は、基材シート片２に重ねられ且つ第２シート片３２の一端部３２ａ（第２接着部５２）において表示シート片２に接着されているので、第２接着部５２の外縁５２ａの近傍において第２延出片４２は下向きに膨んだ円弧状に湾曲する。この状態において、元の平坦状に戻ろうとする力が作用しているので、上記曲げられた第２延出片４２は、下方に付勢されている（下向きの反発力を有する）。
特に、第１延出片４１及び第２延出片４２は、折り目を有しないので、上記反発力が減殺され難い。
【００３４】
かかる首掛けラベル１を容器９の首部９１の上方から下方に移動させ、第２延出片４２の第２孔部６２を容器９の首部９１に挿入し、次いで、第１延出片４１の第１孔部６１（上記実施形態では、略Ｈ字状の第１切り目７１）を容器９の首部９１に挿入することにより、首掛けラベル１を容器９に装着できる。
なお、図６に示すように、第１延出片４１を首部９１に挿入したときには、第１切り目７１で区画された領域４１１が容器９の上部によって押し上げられ、第１孔部６１が生じる。そして、前記押し上げられた領域４１１は、容器９の首部９１を挟んで立ち上がる。この立ち上がった領域４１１に広告を表示しておくことにより、より多くの広告表示を消費者に見せることができる。
【００３５】
また、第１延出片４１に形成された第２切り目７２の縁が、容器９の段部９４（例えば、キャップ部９３の下端部や首部９１に形成されたフランジ部など）に係合する。この係合によって、上方に付勢された第１シート片３１が容器９に対して位置ずれすることを防止できる。
一方、下方に付勢された第２延出片４２は、それに形成された第２孔部６２の縁が首部９１よりも大径の胴部９２の上方部に当たるので、該第２延出片４２が位置ずれすることもない。
【００３６】
得られたラベル付き容器１０は、表示シート片２が容器９の首部９１の前方において起立しており、該表示シート片２の起立状態が、首部９１の上方部に挿入係止された第１シート片３１及び首部９１の下方部に挿入係止された第２シート片３２によって保持されている。
【００３７】
上記首掛けラベル付き容器１０は、表示シート片２が首部９１の前方側に略平坦状となって起立しているので、表示シート片２の外面に表示された広告表示を消費者に良好に見せることができる。
【００３８】
上記首掛けラベル付き容器１０は、第１延出片４１と第２延出片４２が容器９の首部９１の上下に間隔を開けて挿入されている。この第１延出片４１は、第１接着部５１の近傍において上向きに膨んだ円弧状に湾曲しているので、第１シート片３１の剛性によって、上方に付勢されている。このため、第１延出片４１は、上向きに反発して容器９の首部９１に係止される。好ましくは、上述のように、第１延出片４１の第１孔部６１の縁（上記実施形態では、第２切り目７２の縁）が、容器９の段部９４に係合し、第１延出片４１は、首部９１の所定位置に係止される。
一方、第２延出片４２は、第２接着部５２の近傍において下向きに膨んだ円弧状に湾曲しているので、第２シート片３２の剛性によって、下方に付勢されている。このため、第２延出片４２は、下向きに反発して容器９の首部９１に係止される。好ましくは、上述のように、第２延出片４２の第２孔部６２の縁が、容器９の胴部９２の上方部に当たり、第２延出片４２は、首部９１の所定位置に係止される。
【００３９】
このように首部９１に挿入された第１延出片４１及び第２延出片４２が互いに離れる方向に反発することによって、首部９１に装着された首掛けラベル１がずれ難く、更に、表示シート片２の自重によって、第１延出片４１及び第２延出片４２が変形し難く、表示シート片２が垂れ下がることを防止できる。
【００４０】
上記のように本発明の首掛けラベル１０は、容器９に対して安定的に装着できるので、例えば、表示シート片２に、附属品を具備させることもできる。附属品としては、例えば、おまけを入れた袋、リーフレットを封入した袋などが挙げられる。このような附属品を、表示シート片２に貼付してもよい。
【００４１】
＜他の実施形態＞
次に、本発明の他の実施形態を示す。
ただし、他の実施形態の説明に於いて、主として上記実施形態と異なる構成及び効果について説明し、上記実施形態と同様の構成などについては、その説明を省略し、用語及び符号を援用することがある。
【００４２】
上記実施形態では、第１シート片３１及び第２シート片３２は、別体のシート材からなるが、例えば、図９に示すように、第１シート片３１及び第２シート片３２が１枚のシート材から構成されていてもよい。このように第１シート片３１及び第２シート片３２を１枚のシート材で構成することにより、別体のシート材から構成する場合に比して、第１シート片３１及び第２シート片３２の剛性が高くなり、両シート片３１，３２を曲げたときにその反発力が増すので好ましい。
この場合、第１接着部５１及び第２接着部５２は、所定間隔を開けて別個に設けられていてもよいし、両接着部５１，５２が一体的に繋がっていてもよい。要は、第１接着部５１の外縁５１ａと第２接着部５２の外縁５２ａの間隔が開いていればよい。
【００４３】
また、表示シート片２、第１シート片３１及び第２シート片３２が、１枚のシート材から構成されていてもよい。この場合、図１０に示すように、１枚のシート材２１の縦方向一端側を、第１折曲部１１及び第２折曲部１２にて山折り及び谷折りして略Ｚ字状に重ね合わせ、且つ、１枚のシート材２１の縦方向他端側を、第３折曲部１３及び第４折曲部１４にて山折り及び谷折りして略Ｚ字状に重ね合わせる。このように折り返すことにより、１枚のシート材２１から、表示シート片２、第１シート片３１及び第２シート片３２を形成できる。そして、上記実施形態と同様にして、表示シート片２の内面と第１シート片３１の内面を、第１接着部５１にて接着し、且つ、表示シート片２の内面と第２シート片３２の内面を、第２接着部５２にて接着することにより、他の実施形態に係るラベル１が得られる。なお、かかる１枚のシート材２１を折り返して形成されたラベル１は、表示シート片２と第１及び第２シート片３１，３２とが、第１折曲部１１及び第３折曲部１３において開くので、これを防止するため、第３接着部５３及び第４接着部５４が設けられる。
【００４４】
また、上記実施形態では、第１延出片４１に、平面視略Ｈ字状の第１切り目７１が形成されているが、これに代えて、第１延出片４１に、容器９の首部９１に挿入可能な開口（第１孔部６１に相当する）が形成されていてもよい。この開口は、第１延出片４１の一部分を所定の平面視形状（例えば、矩形状、円形状、楕円形状など）に切り抜くことによって形成できる。このように第１孔部６１が、第１延出片４１に予め形成された開口である場合、第１延出片４１を容器９の首部９１に挿入したときに、第１孔部６１の一縁が容器９の段部などに係合し得る。このため、第１延出片３１が容器９の首部９１から抜け出ることを防止できる。
また、上記実施形態では、第１延出片４１に、開口が形成されているが、これに代えて、第１延出片４１の面内に、首部に挿入可能な第２孔部６２が生じ得る切り目が形成されていてもよい。この切り目としては、上記実施形態の第１延出片４１に形成された平面視略Ｈ字状の第１切り目などが挙げられる。第２延出片４２に前記略Ｈ字状の切り目を形成することにより、第２延出片４２を容器９の首部９１に挿入したときに、第２延出片４２の一部の領域が立ち上がるので好ましい。
【図面の簡単な説明】
【００４５】
【図１】本発明の１つの実施形態に係る首掛けラベルの平面図。ただし、薄墨塗り部分は、第１及び第２接着部を示す（他の図も同様）。
【図２】同背面図。
【図３】図１のＩＩＩ−ＩＩＩ線断面図（横方向で切断）。
【図４】図２のＩＶ−ＩＶ線断面図。
【図５】図２のＶ−Ｖ線断面図。
【図６】本発明の１つの実施形態に係る首掛けラベル容器の正面図。
【図７】同側面図。
【図８】首掛けラベルを容器に装着する過程を表した側面図。
【図９】本発明の他の実施形態に係る首掛けラベルの断面図（横方向で切断）。
【図１０】本発明の更なる他の実施形態に係る首掛けラベルの断面図（横方向で切断）。
【符号の説明】
【００４６】
１…首掛けラベル、２…表示シート片、２ａ…縦方向一端部、２ｂ…縦方向他端部、３１…第１シート片、３２…第２シート片、４１…第１延出片、４２…第２延出片、５１…第１接着部、５２…第２接着部、６１…第１孔部、６２…第２孔部、９…容器、９１…首部、１０…首掛けラベル付き容器
【図１】
2009244516.tif 000003
【図２】
2009244516.tif 000004
【図３】
2009244516.tif 000005
【図４】
2009244516.tif 000006
【図５】
2009244516.tif 000007
【図６】
2009244516.tif 000008
【図７】
2009244516.tif 000009
【図８】
2009244516.tif 000010
【図９】
2009244516.tif 000011
【図１０】
2009244516.tif 000012